(57)【要約】【課題】処置具挿通チャンネルを通じて体内汚液等による水撃作用があっても鉗子栓本体から蓋体が外れ難くて汚液等の噴出がなく、しかも蓋体を鉗子栓本体にスムーズに取り付けることができる内視鏡の鉗子栓を提供すること。【解決手段】本体閉鎖膜１６の裏側に位置する鉗子栓本体１１内の空間３５が、略ハート形の上半部の形状をその縦軸の周りに回転した回転体状に形成されて、そのハート形の凹部にあたる部分の壁が本体閉鎖膜１６になっている。【選択図】      図１
2008148801.tif 000002
【特許請求の範囲】
【請求項１】
基部が内視鏡の処置具挿通チャンネルの入口部分に取り付けられる略円筒状の鉗子栓本体と、上記鉗子栓本体の上端側から上記鉗子栓本体に対し被さった状態に着脱自在に取り付けられる略キャップ状の蓋体とが共に弾力性のある部材により形成されて、上記処置具挿通チャンネルに挿通される処置具により押し開かれる本体閉鎖膜と蓋体閉鎖膜とが上記鉗子栓本体と上記蓋体とに設けられ、上記鉗子栓本体の外周部と上記蓋体の内周部とに、上記蓋体を弾性変形させることにより互いに係脱させることができる抜け止め係合部が形成された内視鏡の鉗子栓において、
上記本体閉鎖膜の裏側に位置する上記鉗子栓本体内の空間が、略ハート形の上半部の形状をその縦軸の周りに回転した回転体状に形成されて、そのハート形の凹部にあたる部分の壁が上記本体閉鎖膜になっていることを特徴とする内視鏡の鉗子栓。
【請求項２】
上記本体閉鎖膜には、通常は閉じていて、そこを通過する処置具により弾性変形させられて開く小孔が形成されている請求項１記載の内視鏡の鉗子栓。
【請求項３】
上記蓋体が上記鉗子栓本体を外側から締め付ける状態に被せられる請求項１又は２記載の内視鏡の鉗子栓。
【請求項４】
上記鉗子栓本体の外周面に上端部側から次第に径が窄まった逆テーパ面部が形成されていて、上記逆テーパ面部に被さる上記蓋体の内周面が、上記鉗子栓本体の上端部では上記鉗子栓本体を締め付けず、上記逆テーパ部では上端部から遠ざかるにしたがって上記鉗子栓本体に対する締め付け量が大きくなる逆テーパ孔状に形成されている請求項３記載の内視鏡の鉗子栓。
【請求項５】
上記抜け止め係合部が、上記鉗子栓本体の外周部の上記逆テーパ面部より下方位置に外周面から凹んで形成された円周溝と、上記蓋体を弾性変形させることにより上記円周溝に対して係脱させることができるように上記蓋体から内方に向けて突出形成された内方突起とで形成されている請求項１ないし４のいずれかの項に記載の内視鏡の鉗子栓。
【発明の詳細な説明】
【技術分野】
【０００１】
この発明は、内視鏡の処置具挿通チャンネルを通じて体内汚液等が内視鏡外に噴出しないように処置具挿通チャンネルの入口部分を弾力的にシールするための内視鏡の鉗子栓に関する。
【背景技術】
【０００２】
内視鏡の鉗子栓は一般に、例えば図９に示されるように、基部が内視鏡の処置具挿通チャンネル１００の入口口金に取り付けられる略円筒状の鉗子栓本体９１と、その鉗子栓本体９１の上端側から鉗子栓本体９１に対し被さった状態に着脱自在に取り付けられる略キャップ状の蓋体９２とが共に弾力性のある部材により形成されて、処置具挿通チャンネル１００に挿通される処置具によって押し開かれるスリット９３又は小孔９４が形成された閉鎖膜９５，９６が、蓋体９２と鉗子栓本体９１とに設けられている。
【０００３】
そして、蓋体９２を鉗子栓本体９１に着脱自在に係止させるために、鉗子栓本体９１の外周部に円周溝９９が形成されると共に、鉗子栓本体９１の周囲を囲む状態に蓋体９２側から突設された環状壁９７の先端内周部分に、円周溝９９に対して係脱自在な環状の内方突起９８が突出形成され、そのような円周溝９９と内方突起９８とが、蓋体９２を弾性変形させることにより互いに係脱させることができる抜け止め係合部になっている（例えば、特許文献１）。
【特許文献１】特開２００１−２１８７３２
【発明の開示】
【発明が解決しようとする課題】
【０００４】
しかし、上述のような内視鏡の鉗子栓においては、図１０に示されるように、体内から処置具挿通チャンネル１００内を通ってくる体内汚液等の突発的な圧力上昇（いわゆる水撃作用）等により円周溝９９に対する内方突起９８の係合が外れて蓋体９２が鉗子栓本体９１から外れ、汚液が周囲に飛散してしまう場合がある。
【０００５】
その対策としては、抜け止め係合部である内方突起９８と円周溝９９との係合力を大きくして、内方突起９８が円周溝９９から容易に外れないようにすればよいが、単純にそのようにすると鉗子栓本体９１に対する蓋体９２の着脱が困難になって、着脱時に蓋体９２を破損し易くなる等の問題が生じる。
【０００６】
本発明は、処置具挿通チャンネルを通じて体内汚液等による水撃作用があっても鉗子栓本体から蓋体が外れ難くて汚液等の噴出がなく、しかも蓋体を鉗子栓本体にスムーズに取り付けることができる内視鏡の鉗子栓を提供することを目的とする。
【課題を解決するための手段】
【０００７】
上記の目的を達成するため、本発明の内視鏡の鉗子栓は、基部が内視鏡の処置具挿通チャンネルの入口部分に取り付けられる略円筒状の鉗子栓本体と、鉗子栓本体の上端側から鉗子栓本体に対し被さった状態に着脱自在に取り付けられる略キャップ状の蓋体とが共に弾力性のある部材により形成されて、処置具挿通チャンネルに挿通される処置具により押し開かれる本体閉鎖膜と蓋体閉鎖膜とが鉗子栓本体と蓋体とに設けられ、鉗子栓本体の外周部と蓋体の内周部とに、蓋体を弾性変形させることにより互いに係脱させることができる抜け止め係合部が形成された内視鏡の鉗子栓において、本体閉鎖膜の裏側に位置する鉗子栓本体内の空間が、略ハート形の上半部の形状をその縦軸の周りに回転した回転体状に形成されて、そのハート形の凹部にあたる部分の壁が本体閉鎖膜になっているものである。
【０００８】
なお、本体閉鎖膜には、通常は閉じていて、そこを通過する処置具により弾性変形させられて開く小孔が形成されているとよい。また、蓋体が鉗子栓本体を外側から締め付ける状態に被せられるようになっていてもよく、その場合、鉗子栓本体の外周面に上端部側から次第に径が窄まった逆テーパ面部が形成されていて、逆テーパ面部に被さる蓋体の内周面が、鉗子栓本体の上端部では鉗子栓本体を締め付けず、逆テーパ部では上端部から遠ざかるにしたがって鉗子栓本体に対する締め付け量が大きくなる逆テーパ孔状に形成されていてもよい。
【０００９】
また、抜け止め係合部が、鉗子栓本体の外周部の逆テーパ面部より下方位置に外周面から凹んで形成された円周溝と、蓋体を弾性変形させることにより円周溝に対して係脱させることができるように蓋体から内方に向けて突出形成された内方突起とで形成されていてもよい。
【発明の効果】
【００１０】
本発明によれば、本体閉鎖膜の裏側に位置する鉗子栓本体内の空間が、略ハート形の上半部の形状をその縦軸の周りに回転した回転体状に形成されて、そのハート形の凹部にあたる部分の壁が本体閉鎖膜になっていることにより、処置具挿通チャンネルを通じて体内汚液等による水撃作用があっても、それによって鉗子栓本体に対する蓋体の係合力や本体閉鎖膜の閉じ力が増大するので、鉗子栓本体から蓋体が外れ難くて汚液等の噴出がなく、しかも鉗子栓本体に対する蓋体の着脱は従来通りスムーズに行うことができる。
【発明を実施するための最良の形態】
【００１１】
基部が内視鏡の処置具挿通チャンネルの入口部分に取り付けられる略円筒状の鉗子栓本体と、鉗子栓本体の上端側から鉗子栓本体に対し被さった状態に着脱自在に取り付けられる略キャップ状の蓋体とが共に弾力性のある部材により形成されて、処置具挿通チャンネルに挿通される処置具により押し開かれる本体閉鎖膜と蓋体閉鎖膜とが鉗子栓本体と蓋体とに設けられ、鉗子栓本体の外周部と蓋体の内周部とに、蓋体を弾性変形させることにより互いに係脱させることができる抜け止め係合部が形成された内視鏡の鉗子栓において、本体閉鎖膜の裏側に位置する鉗子栓本体内の空間が、略ハート形の上半部の形状をその縦軸の周りに回転した回転体状に形成されて、そのハート形の凹部にあたる部分の壁が本体閉鎖膜になっている。
【実施例】
【００１２】
以下、図面を参照して本発明の実施例を説明する。
図５において、１は、可撓性を有する内視鏡の挿入部、２は、挿入部１の基端に連結された操作部である。
【００１３】
挿入部１内には、図示されていない処置具を挿通するための処置具挿通チャンネル３が全長にわたって挿通配置されていて、操作部２の下端部に配置された処置具挿通チャンネル３の入口開口部には、処置具挿通チャンネル３を通って逆流する体内汚液等が外方に吹き出さないようにするための鉗子栓１０の鉗子栓本体１１が着脱自在に取り付けられている。１２と１４は、後述する蓋体と連結帯状部材である。
【００１４】
図１と図２は、鉗子栓１０の縦断面図と斜視図である。鉗子栓１０は、処置具挿通チャンネル３の入口口金３ａに着脱自在に取り付けられる略円筒状に形成された鉗子栓本体１１と、鉗子栓本体１１の上端の突端側入口１５側から鉗子栓本体１１に対し被さった状態に着脱自在に取り付けられる略キャップ状の蓋体１２とを備えていて、全体が弾力性のあるゴム材等によって構成されている。
【００１５】
鉗子栓本体１１の内面の基端寄りの部分には、処置具挿通チャンネル３の入口口金３ａに対して係脱自在な小径部１３が形成されており、小径部１３を弾性変形させて、入口口金３ａを締め付ける状態に取り付け及び取り外すことができる。
【００１６】
蓋体１２は、弾力性のあるゴム材により蓋体１２と一体に形成された連結帯状部材１４で鉗子栓本体１１の基部と連結されていて、図３及び図４にも示されるように、蓋体１２が鉗子栓本体１１から取り外されてもその近くにぶら下げられた状態になるようになっている。
【００１７】
図１に戻って、鉗子栓本体１１内と蓋体１２には、本体閉鎖膜１６と蓋体閉鎖膜１７が形成されていて、本体閉鎖膜１６には、処置具挿通チャンネル３に挿通される処置具により押し開かれる小孔１８が形成され、蓋体閉鎖膜１７には、処置具挿通チャンネル３に挿通される処置具により押し開かれるスリット１９が形成されている。なお、小孔１８は、通常は閉じていて、そこを通過する処置具によって弾性変形させられて開く状態に形成されている。
【００１８】
したがって、蓋体１２が鉗子栓本体１１に取り付けられて処置具が使用されない図１に示される状態では、蓋体閉鎖膜１７に形成されたスリット１９と本体閉鎖膜１６に形成された小孔１８により、処置具挿通チャンネル内から体内汚液等が噴出しないように封止される。
【００１９】
そして、図示されていない処置具が処置具挿通チャンネル３に挿脱される際には、小孔１８とスリット１９により処置具の外周部との間がシールされ、注射器で処置具挿通チャンネル３内に薬液等を送り込む場合には、蓋体１２の入口部に形成された小径部２０が注射筒の先端部分を締め付けることにより、注射器の支持とシールが行われる。
【００２０】
鉗子栓本体１１の基端寄りの位置の外周部には、円周溝２１が全周にわたって外周面から凹んだ状態に形成されている。そして、鉗子栓本体１１の外周を囲む状態に、蓋体１２側に環状壁２２が形成され、円周溝２１に対して全周にわたり係合させることができる環状の内方突起２３が環状壁２２の先端部分の内周部の全周から内方に向けて突出形成されている。
【００２１】
内方突起２３は、環状壁２２を弾性変形させて円周溝２１に係脱させることができ、蓋体１２が鉗子栓本体１１から外れるのを防止するための抜け止め係合部が、円周溝２１と内方突起２３とで構成されている。
【００２２】
鉗子栓本体１１の外周部の上半部は、上端部２８側から次第に径が窄まった逆テーパ面部２９になっていて、その逆テーパ面部２９に被さる蓋体１２の内周面（即ち、環状壁２２の内周面の上半部）が、鉗子栓本体１１の上端部２８では鉗子栓本体１１を締め付けず、逆テーパ面部２９では上端部２８から遠ざかるにしたがって鉗子栓本体１１に対する締め付け量が大きくなる逆テーパ孔部３０になっている。
【００２３】
そのようにするために、図３に示されるように、蓋体１２の逆テーパ孔部３０の上端部の内径Ｄが鉗子栓本体１１の上端部２８の外径ｄと等しいか大きく形成され、逆テーパ孔部３０のテーパ角θ２が逆テーパ面部２９のテーパ角θ１より大きく形成されている。即ち、Ｄ≧ｄ、且つθ２＞θ１である。
【００２４】
鉗子栓本体１１の外周部の中間部分には、上端部２８より径の大きな大径部２６が形成され、その大径部２６の基部側に隣接して前述の円周溝２１が全周にわたって凹んで形成されている。
【００２５】
また、大径部２６の外周部には、蓋体１２の内方突起２３部分が弾性変形してスライドする際に鉗子栓本体１１の外周部と蓋体１２の環状壁２２とで囲まれた空間を外部と連通させる通気溝２７が形成されている。
【００２６】
本体閉鎖膜１６の裏側に位置する鉗子栓本体１１内の空間（本体内空間３５）は、略ハート形の上半部の形状をその縦軸の周りに回転した回転体状に形成されていて、そのハート形の凹部にあたる部分の壁が本体閉鎖膜１６になっている。
【００２７】
このように構成された実施例の内視鏡の鉗子栓１０は、図１に示されるように、蓋体１２が鉗子栓本体１１に取り付けられた状態においては、内方突起２３が円周溝２１に係合して鉗子栓本体１１に対する蓋体１２の抜け止めになり、また、鉗子栓本体１１の逆テーパ面部２９が蓋体１２の逆テーパ孔部３０で締め付けられて、その部分が確実にシールされた状態になっている。
【００２８】
そして、図６に示されるように、鉗子栓１０が処置具挿通チャンネル３の入口口金３ａに取り付けられた使用状態において、処置具挿通チャンネル３を経由する水撃作用等により本体内空間３５内に高圧液流が入ってくると、その液流は本体内空間３５のハート形の曲面壁に沿って流れる。
【００２９】
すると、図７に示されるように、その水流が本体閉鎖膜１６にぶつかる力Ｆの分力が小孔１８を閉じるように作用するので、水流が小孔１８を通過し難くなり、蓋体１２の内側に面している鉗子栓本体１１の突端側入口１５内の圧力上昇が抑制される。
【００３０】
また、図８に示されるように、水流が本体内空間３５のハート形の曲面壁に沿って流れる部分では、弾力性のある部材からなる鉗子栓本体１１が水流の力で外側に押し広げられる状態に弾性変形して、鉗子栓本体１１の逆テーパ面部２９の外周面が破線で示されるように広げられるので、蓋体１２に形成されている逆テーパ孔部３０による逆テーパ面部２９に対する締め付け力が増大し、蓋体１２が鉗子栓本体１１から外れ難くなる。その結果、水撃作用があっても、蓋体１２が鉗子栓本体１１から外れず鉗子栓１０から体内汚液等が噴出しない。
【００３１】
このようにして、本発明においては、円周溝２１と内方突起２３との係合力を大きくすることなく、蓋体１２が水撃作用によって鉗子栓本体１１から外れないようにすることができる。
【図面の簡単な説明】
【００３２】
【図１】本発明の実施例の内視鏡の鉗子栓の縦断面図である。
【図２】本発明の実施例の内視鏡の鉗子栓の外観斜視図である。
【図３】本発明の実施例の内視鏡の鉗子栓の蓋体が鉗子栓本体から取り外された状態の縦断面図である。
【図４】本発明の実施例の内視鏡の鉗子栓の蓋体が鉗子栓本体から取り外された状態の外観斜視図である。
【図５】本発明の実施例の内視鏡の全体構成を示す側面図である。
【図６】本発明の実施例の内視鏡の鉗子栓に水撃が作用した状態の縦断面図である。
【図７】本発明の実施例の内視鏡の鉗子栓に水撃が作用した状態の本体閉鎖膜部分の断面図である。
【図８】本発明の実施例の内視鏡の鉗子栓に水撃が作用した状態の本体内空間部分の断面図である。
【図９】従来の内視鏡の鉗子栓の縦断面図である。
【図１０】従来の内視鏡の鉗子栓に水撃が作用した状態の縦断面図である。
【符号の説明】
【００３３】
３  処置具挿通チャンネル
３ａ  入口口金
１０  鉗子栓
１１  鉗子栓本体
１２  蓋体
１６  本体閉鎖膜
１７  蓋体閉鎖膜
１８  小孔
１９  スリット
２１  円周溝
２２  環状壁
２３  内方突起
２９  逆テーパ面部
３０  逆テーパ孔部
３５  本体内空間
【図１】
2008148801.tif 000003
【図２】
2008148801.tif 000004
【図３】
2008148801.tif 000005
【図４】
2008148801.tif 000006
【図５】
2008148801.tif 000007
【図６】
2008148801.tif 000008
【図７】
2008148801.tif 000009
【図８】
2008148801.tif 000010
【図９】
2008148801.tif 000011
【図１０】
2008148801.tif 000012